(57)【要約】【課題】外装ケース内への熱交換器やバーナの出し入れ作業を容易に行なうことができ、メンテナンス作業時などの労力負担を小さくすることが可能な温水装置を提供する。【解決手段】熱交換器ＨＥの一側面部にバーナ１が取り付けられたいわゆる横置き型の温水装置ＷＨであって、熱交換器ＨＥの下部または熱交換器ＨＥよりも低位置において熱交換器ＨＥを支持し、かつ熱交換器ＨＥを略水平方向に延びる中心軸Ｃ周りに回転可能とする支持手段３を備えており、外装ケース４の開口部４１が開放された状態において、熱交換器ＨＥを開口部４１の前方に引き倒すようにして中心軸Ｃ周りに回転させることにより、熱交換器ＨＥおよびバーナ１を外装ケース４の外部に配置させることが可能な構成とされている。【選択図】  図３
2010127519.tif 000002
【特許請求の範囲】
【請求項１】
伝熱管およびこの伝熱管を囲むケースを有する熱交換器と、
この熱交換器の一側面部に取り付けられたバーナと、
これらバーナおよび熱交換器を囲み、かつ蓋部材によって閉塞される開口部を有する外装ケースと、
を備えている、温水装置であって、
前記熱交換器の下部または前記熱交換器よりも低位置において前記熱交換器を支持し、かつ前記熱交換器を略水平方向に延びる中心軸周りに回転可能とする支持手段を備えており、
前記外装ケースの開口部が開放された状態において、前記熱交換器を前記開口部の前方に引き倒すようにして前記中心軸周りに回転させることにより、前記熱交換器および前記バーナを前記外装ケースの外部に配置させることが可能な構成とされていることを特徴とする、温水装置。
【請求項２】
請求項１に記載の温水装置であって、
前記支持手段は、前記外装ケース内において少なくとも一部分が略水平方向に延び、かつ前記熱交換器の伝熱管への入水および出湯を行なわせるための湯水流通管体を含んでおり、
この湯水流通管体に前記熱交換器が支持されている、温水装置。
【発明の詳細な説明】
【技術分野】
【０００１】
本発明は、バーナにより発生された燃焼ガスから熱交換器を利用して熱回収を行なうことにより湯水加熱を行なう給湯装置などの温水装置、さらに詳しくは、熱交換器の横（一側面部）にバーナを取り付けたいわゆる横置きタイプの温水装置に関する。
【背景技術】
【０００２】
従来の温水装置としては、たとえば特許文献１に記載されているような横置きタイプのものがある。このタイプの温水装置は、熱交換器の伝熱管を収容するケースの一側面部にバーナが取り付けられている。このバーナを駆動させると、ケース内において燃焼ガスが発生し、この燃焼ガスから伝熱管によって熱回収が行なわれることにより、伝熱管内を流通する湯水が加熱される。このような横置きタイプの温水装置では、たとえば伝熱管として螺旋管を用いた場合に、この螺旋管を横倒しの姿勢にすることができる。このため、燃焼ガスから潜熱回収を行なった際に発生するドレイン（凝縮水）を螺旋管からその下方に流れ落ち易くし、螺旋管の表面に多くのドレインが残留することに起因して熱交換効率が低下する不具合を抑制できるといった利点が得られる。
【０００３】
前記したような温水装置を実際に製品化する場合、熱交換器やバーナを外装ケース内に収容することにより、それらの保護を図り、かつ全体の体裁を整えるのが通例である。しかしながら、従来においては、熱交換器やバーナを外装ケース内に収容させる場合、熱交換器やバーナを適当な位置に配置して単にボルト止めするといった手段が採用されているに過ぎないのが実情であった。このため、熱交換器やバーナのメンテナンスを行なうことを目的として、これらを外装ケースの外部に取り出す場合には、これら熱交換器やバーナの固定状態を解除した後に、熱交換器やバーナの全体を作業者が手で持ち上げて外装ケースの外部に取り出す必要がある。したがって、その作業負担は大きいものとなっていた。
【０００４】
【特許文献１】特表２００６−５０３２６０号公報
【発明の開示】
【発明が解決しようとする課題】
【０００５】
本発明は、前記したような事情のもとで考え出されたものであって、外装ケース内への熱交換器やバーナの出し入れ作業を容易に行なうことができ、メンテナンス作業時などの労力負担を小さくすることが可能な温水装置を提供することを、その課題としている。
【課題を解決するための手段】
【０００６】
上記の課題を解決するため、本発明では、次の技術的手段を講じている。
【０００７】
本発明により提供される温水装置は、伝熱管およびこの伝熱管を囲むケースを有する熱交換器と、この熱交換器の一側面部に取り付けられたバーナと、これらバーナおよび熱交換器を囲み、かつ蓋部材によって閉塞される開口部を有する外装ケースと、を備えている、温水装置であって、前記熱交換器の下部または前記熱交換器よりも低位置において前記熱交換器を支持し、かつ前記熱交換器を略水平方向に延びる中心軸周りに回転可能とする支持手段を備えており、前記外装ケースの開口部が開放された状態において、前記熱交換器を前記開口部の前方に引き倒すようにして前記中心軸周りに回転させることにより、前記熱交換器および前記バーナを前記外装ケースの外部に配置させることが可能な構成とされていることを特徴としている。
【０００８】
このような構成によれば、熱交換器およびバーナを外装ケースの外部に取り出す場合には、熱交換器を外装ケースの開口部の前方に引き倒すようにして所定の中心軸周りに回転させればよいこととなり、熱交換器およびバーナを作業者が手で持ち上げて外装ケースの外部に取り出す必要がなくなる。また、熱交換器およびバーナを元に戻す場合には、熱交換器を外装ケースの内方に押し込むように前記中心軸周りに回転させればよい。したがって、外装ケース内への熱交換器やバーナの出し入れ作業が容易となり、メンテナンス作業時などの労力負担を小さくすることができる。
【０００９】
本発明の好ましい実施の形態においては、前記支持手段は、前記外装ケース内において少なくとも一部分が略水平方向に延び、かつ前記熱交換器の伝熱管への入水および出湯を行なわせるための湯水流通管体を含んでおり、この湯水流通管体に前記熱交換器が支持されている。
【００１０】
このような構成によれば、湯水流通管体が支持手段として利用されているために、熱交換器を回転可能に支持するための専用の手段を別途設ける場合と比較すると、部品点数の増加などを抑制し、構造の簡素化や製造コストの低減化を図ることができる。
【００１１】
本発明のその他の特徴および利点は、添付図面を参照して以下に行なう発明の実施の形態の説明から、より明らかになるであろう。
【発明を実施するための最良の形態】
【００１２】
以下、本発明の好ましい実施の形態について、図面を参照して具体的に説明する。
【００１３】
図１〜図３は、本発明が適用された温水装置の一実施形態を示している。図１によく表われているように、本実施形態の温水装置ＷＨは、熱交換器ＨＥ、バーナ１、ファン２、湯水流通管体３、および外装ケース４を備えている。
【００１４】
外装ケース４は、熱交換器ＨＥ、バーナ１、ファン２、および湯水流通管体３などの温水装置ＷＨの主要構成要素を囲み、これらを保護する役割を果たす。この外装ケース４は、たとえば略直方体状であり、その前面部分には、図２に示すように、蓋部材としての前面パネル４０によって閉塞される開口部４１が形成されている。好ましくは、外装ケース４は、上部の幅Ｗ１（前後方向の幅）よりも下部の幅Ｗ２（前後方向の幅）の方が小さくされており、前面パネル４０もそれに対応して屈曲した形態とされている。このような構成によれば、図３を参照して後述するように、熱交換器ＨＥを外装ケース４の前方に引き倒した際に、熱交換器ＨＥの全体を外装ケース４の前方に脱出させ易くなる利点が得られる。
【００１５】
熱交換器ＨＥは、ケース５内に螺旋状伝熱管６が横倒しの姿勢（螺旋状伝熱管６の軸長方向が外装ケース４の左右幅方向となる姿勢）で収容された構成を有している。螺旋状伝熱管６の内方空間部は、仕切部材５９によって第１および第２の空間部５８Ａ，５８Ｂに仕切られている。バーナ１は、たとえばガスバーナであり、このバーナ１には、外部から燃料用管体１９を介して供給されてくる燃料ガスとファン２に吸気される燃焼用空気との混合ガスが供給可能である。この混合ガスは、点火プラグ（図示略）の点火動作によって燃焼する。バーナ１は、フランジ部１１が熱交換器ＨＥのケース５の一側面部に当接されてネジ止めされることにより熱交換器ＨＥに取り付けられており、フランジ部１１よりも先端寄りのバーナ本体部１０は、熱交換器ＨＥの第１の空間部５８Ａに進入している。ファン２は、バーナ１に連結されている。バーナ１を燃焼駆動させて、第１の空間部５８Ａにおいて燃焼ガスを発生させると、この燃焼ガスは、螺旋状伝熱管６のうちの第１の空間部５８Ａを囲む領域の隙間を通過して螺旋状伝熱管６の外周囲に進行した後に、螺旋状伝熱管６の第２の空間部５８Ｂを囲む領域の隙間を通過して第２の空間部５８Ｂに流れ込むようになっている。このような過程において、前記燃焼ガスからは螺旋状伝熱管６によって顕熱および潜熱が回収される。
【００１６】
熱交換器ＨＥの第２の空間部５８Ｂに流れ込んだ燃焼ガスを外装ケース４の外部に排出するための手段として、外装ケース４に固定された排気ダクト７０、熱交換器ＨＥのケース５に設けられた管体部５７、およびこの管体部５７と排気ダクト７０とを接続するスライド管体７１が具備されている。スライド管体７１は、図１に示すように管体部５７と排気ダクト７０とを接続した状態から、たとえば同図の右側にスライド移動可能であり、このスライド移動がなされると、管体部５７と排気ダクト７０との接続が解除されるようになっている。このような接続解除は、後述するように、熱交換器ＨＥを外装ケース４の前方に引き倒す際に、排気ダクト７０がその妨げにならないようにするのに役立つ。
【００１７】
湯水流通管体３は、螺旋状伝熱管６への湯水流通を行なわせるためのものであり、外装ケース４に固定された一対の補助管体部３１Ａ，３１Ｂと、これら補助管体部３１Ａ，３１Ｂに接続されてそれらの間に位置する第１および第２の管体部３０Ａ，３０Ｂとを備えている。第１および第２の管体部３０Ａ，３０Ｂは、略水平方向に延びて螺旋状伝熱管６の軸長方向と略平行であり、かつ一組の軸受３９によって回転可能に支持されている。また、第１および第２の管体部３０Ａ，３０Ｂのそれぞれの一端部は、ケース５の下部５０内に挿入して連結されており、熱交換器ＨＥを支持している。このような構成により、熱交換器ＨＥは、第１および第２の管体部３０Ａ，３０Ｂの略水平な中心軸Ｃを中心として回転可能であり、図１および図２に示すように外装ケース４内に収容された状態と、図３に示すように、外装ケース４の前方側に引き倒された状態とに切り替え設定可能となっている。なお、第１および第２の管体部３０Ａ，３０Ｂは、螺旋状伝熱管６と延設管体部６０，６１を介して接続されており、外部から補助管体部３１Ａに入水が行なわれると、この水は第１の管体部３０Ａおよび延設管体部６０を経由して螺旋状伝熱管６に供給されるように構成されている。また、螺旋状伝熱管６を通過して加熱された湯水は、延設管体部６１および第２の管体部３０Ｂを経由して補助管体部３Ｂに到達し、この部分から所望の給湯先に出湯するように構成されている。
【００１８】
熱交換器ＨＥの位置決め固定手段として、外装ケース４内の上部には、ストッパ８０が設けられており、熱交換器ＨＥを外装ケース４内の所定の位置に配置させた際には、熱交換器ＨＥの一部分（本実施形態では、ケース５に設けられた凸部５５）がストッパ８０に当接し、この当接部分をネジ体９０を利用して締結することが可能とされている。また、図３に示すように、熱交換器ＨＥを引き倒した状態においては、熱交換器ＨＥの下部５０の前面部分が外装ケース４の底壁部４２の一部に当接することにより、熱交換器ＨＥが一定角度以上に倒れず、一定の姿勢を維持できるように構成されている。熱交換器ＨＥを引き倒した際には、少なくともバーナ１の全体が外装ケース４の外部に位置するようになっている。
【００１９】
次に、前記した温水装置ＷＨの作用について説明する。
【００２０】
まず、通常時においては、図１および図２に示したように、熱交換器ＨＥやバーナ１などが外装ケース４内に収容された状態とされる。運転時において、バーナ１により発生された燃焼ガスから螺旋状伝熱管６によって熱回収がなされることは既に述べたとおりであり、この熱回収によって湯水加熱を行ない、この湯水を湯水流通管体３の補助管体部３１Ｂから所望の給湯先に適切に供給することができる。
【００２１】
次いで、熱交換器ＨＥからバーナ１を取り外して熱交換器ＨＥやバーナ１のメンテナンス作業を行なう場合には、外装ケース４から前面パネル４０を取り外して開口部４１を開口させた状態において、燃料用管体１９をバーナ１から取り外すとともに、スライド管体７１を図１の右方に移動させて、管体部５７と排気ダクト７０との接続状態を解除する。また、ネジ体９０を緩めて、ストッパ８０と凸部５５との連結状態も解除する。このような状態において、作業者が熱交換器ＨＥを手前に引き寄せると、この熱交換器ＨＥは中心軸Ｃ周りに回転し、図３に示すように、外装ケース４の前方に引き倒される。その結果、熱交換器ＨＥやバーナ１が外装ケース４の外部に取り出される。したがって、作業者が熱交換器ＨＥを外装ケース４の外部に取り出す場合に、熱交換器ＨＥを手で持ち上げる必要はない。また、既述したように、熱交換器ＨＥが引き倒された際には、熱交換器ＨＥの下部５０の前面部分と外装ケース４の底壁部４２とが当接し、熱交換器ＨＥを一定角度に維持しておくことができる。したがって、作業者は、熱交換器ＨＥを手で支えるようなことなく、この熱交換器ＨＥからバーナ１を取り外したり、あるいはバーナ１が取り外された状態での熱交換器ＨＥのメンテナンス作業を行なうことができる。メンテナンス作業を終えた後には、熱交換器ＨＥを上方へ持ち上げるようにして回転させることにより、熱交換器ＨＥを元の位置に容易に戻すことができる。その際、ストッパ８０と凸部５５との当接によって熱交換器ＨＥの適切な位置決めが図られるために、熱交換器ＨＥを元の位置に容易かつ正確に復帰させることもできる。
【００２２】
このように、この温水装置ＷＨでは、熱交換器ＨＥやバーナ１のメンテナンス作業が非常に容易となり、作業者の労力負担を大幅に軽減することができる。また、この温水装置ＷＨでは、熱交換器ＨＥを回転可能に支持するための部材として、湯水流通管体３を有効に利用しているために、その構成は合理的であり、装置全体の部品点数の増加を抑制するのにも好ましいものとなる。
【００２３】
本発明は、上述した実施形態の内容に限定されない。本発明に係る温水装置の各部の具体的な構成は、種々に設計変更自在である。
【００２４】
熱交換器を回転可能に支持するための手段は、湯水流通管体を利用した構成に代えて、たとえば燃料供給管を利用したり、あるいはこれ以外の適当なパイプ、軸状部材、軸受、ヒンジなどを用いて構成することも可能である。熱交換器は、伝熱管とこの伝熱管を囲むケースを有していればよく、伝熱管としては、螺旋状伝熱管に代えて、直管状の伝熱管などを利用することもできる。バーナは、ガスバーナに限らず、オイルバーナなどの他の種類のバーナを用いることもできる。本発明でいう温水装置とは、湯を生成する機能を備えた装置の意であり、一般給湯用、風呂給湯用、暖房用、あるいは融雪用などの各種の給湯装置、および給湯以外に用いられる湯を生成する装置を広く含む概念である。
【図面の簡単な説明】
【００２５】
【図１】本発明に係る温水装置の一例を示す概略正面断面図である。
【図２】図１のII−II断面図である。
【図３】図１に示す温水装置の熱交換器を外装ケースの前方に引き倒した状態を示す断面図である。
【符号の説明】
【００２６】
ＷＨ    温水装置
ＨＥ    熱交換器
Ｃ      中心軸
１      バーナ
３      湯水流通管体（支持手段）
４      外装ケース
５      ケース（熱交換器の）
６      螺旋状伝熱管（伝熱管）
４０    前面パネル（蓋部材）
４１    開口部（外装ケースの）
【図１】
2010127519.tif 000003
【図２】
2010127519.tif 000004
【図３】
2010127519.tif 000005